(57)【要約】【課題】Ｘ電極とＹ電極の他方の端部に直接プローブを接触させることなく、Ｘ電極とＹ電極の他方の端部での断線不良を検出する。【解決手段】基板と、前記基板上に、第２の方向に延在し、前記第２の方向と交差する第１の方向に併設される複数のＸ電極と、前記基板上に、前記各Ｘ電極と交差して前記第１の方向に延在し、前記第２の方向に併設される複数のＹ電極と、前記複数のＹ電極の一方の端部に接続される引き出し配線とを有し、前記各引き出し配線は、前記基板の一辺に形成された、それぞれの引き出し配線に対応する端子に接続される静電容量方式のタッチパネルであって、前記複数のＹ電極の中の隣接する２本のＹ電極を第１のＹ電極と、第２のＹ電極とするとき、前記第１のＹ電極の他方の端部と、前記第２のＹ電極の他方の端部とを、交流的に結合する結合容量を有する。【選択図】図７
2012238066.tif 000002
【特許請求の範囲】
【請求項１】
基板と、
前記基板上に、第２の方向に延在し、前記第２の方向と交差する第１の方向に併設される複数のＸ電極と、
前記基板上に、前記各Ｘ電極と交差して前記第１の方向に延在し、前記第２の方向に併設される複数のＹ電極と、
前記複数のＹ電極の一方の端部に接続される引き出し配線とを有し、
前記各引き出し配線は、前記基板の一辺に形成された、それぞれの引き出し配線に対応する端子に接続される静電容量方式のタッチパネルであって、
前記複数のＹ電極の中の隣接する２本のＹ電極を第１のＹ電極と、第２のＹ電極とするとき、前記第１のＹ電極の他方の端部と、前記第２のＹ電極の他方の端部とを、交流的に結合する結合容量を有することを特徴とする静電容量方式のタッチパネル。
【請求項２】
絶縁膜を介して、前記第１のＹ電極の他方の端部、および、前記第２のＹ電極の他方の端部とは異なる層に形成される導電層を有し、
前記結合容量は、前記第１のＹ電極の他方の端部と前記導電層との間、および、前記第２のＹ電極の他方の端部と前記導電層との間に形成される容量であることを特徴とする請求項１に記載の静電容量方式のタッチパネル。
【請求項３】
絶縁膜を介して、前記第１のＹ電極の他方の端部、および、前記第２のＹ電極の他方の端部とは異なる層に形成される導電層を有し、
前記導電層は、前記第１のＹ電極の他方の端部と接続されており、
前記結合容量は、前記第２のＹ電極の他方の端部と前記導電層との間に形成される容量であることを特徴とする請求項１に記載の静電容量方式のタッチパネル。
【請求項４】
平面的に見た場合に、前記第１のＹ電極の他方の端部、および、前記第２のＹ電極の他方の端部は、有効タッチ領域以外領域で、前記導電層と重なっていることを特徴とする請求項２または請求項３に記載の静電容量方式のタッチパネル。
【請求項５】
前記第１のＹ電極、および、前記第２のＹ電極が形成される面と同一の面で、前記第１のＹ電極の他方の端部を延長して形成される延長パターン部を有し、
前記結合容量は、前記第２のＹ電極の他方の端部と前記延長パターン部との間に形成される容量を含むことを特徴とする請求項１に記載の静電容量方式のタッチパネル。
【請求項６】
基板と、
前記基板上に、第２の方向に延在し、前記第２の方向と交差する第１の方向に併設される複数のＸ電極と、
前記基板上に、前記各Ｘ電極と交差して前記第１の方向に延在し、前記第２の方向に併設される複数のＹ電極と、
前記複数のＸ電極の一方の端部に接続される引き出し配線とを有し、
前記各引き出し配線は、前記基板の一辺に形成された、それぞれの引き出し配線に対応する端子に接続される静電容量方式のタッチパネルであって、
前記複数のＸ電極の中の隣接する２本のＸ電極を第１のＸ電極と、第２のＸ電極とするとき、前記第１のＸ電極の他方の端部と、前記第２のＸ電極の他方の端部とを、交流的に結合する結合容量を有することを特徴とする静電容量方式のタッチパネル。
【請求項７】
絶縁膜を介して、前記第１のＸ電極の他方の端部、および、前記第２のＸ電極の他方の端部とは異なる層に形成される導電層を有し、
前記結合容量は、前記第１のＸ電極の他方の端部と前記導電層との間、および、前記第２のＸ電極の他方の端部と前記導電層との間に形成される容量であることを特徴とする請求項６に記載の静電容量方式のタッチパネル。
【請求項８】
絶縁膜を介して、前記第１のＸ電極の他方の端部、および、前記第２のＸ電極の他方の端部とは異なる層に形成される導電層を有し、
前記導電層は、前記第１のＸ電極の他方の端部と接続されており、
前記結合容量は、前記第２のＸ電極の他方の端部と前記導電層との間に形成される容量であることを特徴とする請求項６に記載の静電容量方式のタッチパネル。
【請求項９】
平面的に見た場合に、前記第１のＸ電極の他方の端部、および、前記第２のＸ電極の他方の端部は、有効タッチ領域以外領域で、前記導電層と重なっていることを特徴とする請求項７または請求項８に記載の静電容量方式のタッチパネル。
【請求項１０】
前記第１のＸ電極、および、前記第２のＸ電極が形成される面と同一の面で、前記第１のＸ電極の他方の端部を延長して形成される延長パターン部を有し、
前記結合容量は、前記第２のＸ電極の他方の端部と前記延長パターン部との間に形成される容量を含むことを特徴とする請求項１に記載の静電容量方式のタッチパネル。
【請求項１１】
表示パネルと、
前記表示パネルの観察者側に配置されるタッチパネルとを備え、
前記タッチパネルは、請求項１ないし請求項１２のいずれか１項に記載の静電容量方式のタッチパネルであることを特徴とする表示装置。
【発明の詳細な説明】
【技術分野】
【０００１】
本発明は、静電容量方式のタッチパネル、および表示装置に係わり、特に、Ｘ電極あるいはＹ電極の断線を検出する際に有効な技術に関する。
【背景技術】
【０００２】
表示画面に使用者の指またはペンなどを用いてタッチ操作（接触押圧操作、以下、単にタッチと称する）して情報を入力する装置（以下、タッチセンサ又はタッチパネルとも称する）を備えた表示装置は、ＰＤＡや携帯端末などのモバイル用電子機器、各種の家電製品、現金自動預け払い機（Automated Teller Machine）等に用いられている。
このようなタッチパネルとして、タッチされた部分の抵抗値変化を検出する抵抗膜方式、あるいは容量変化を検出する静電容量方式、または光量変化を検出する光センサ方式などが知られている。
静電容量方式のタッチパネルとしては、例えば、下記特許文献１で開示されているような方式がある。この開示された方式では、縦横二次元マトリクス状に配置した検出用縦方向の電極（以下、Ｘ電極という。）と検出用横方向の電極（以下、Ｙ電極という。）とを設け、入力処理部で各電極の容量を検出する。タッチパネルの表面に指などの導体が接触した場合には、各電極の容量が増加するため、入力処理部でこれを検知し、各電極が検知した容量変化の信号を基に入力座標を計算する。
【先行技術文献】
【特許文献】
【０００３】
【特許文献１】特開２００８−３１０５５０号公報
【発明の概要】
【発明が解決しようとする課題】
【０００４】
前述の特許文献１に示す静電容量の方式のタッチパネルでは、Ｘ電極とＹ電極の一方の端部を配線（以下、引き出し配線という。）に接続し、この引き出し配線を、フレキシブル配線基板と接続される端子に接続することにより、Ｙ電極の片側から駆動電圧を供給している。以下、このような方式を片側給電方式のタッチパネルという。
この片側給電方式のタッチパネルでは、例えば、Ｙ電極から交流信号を印加し、それぞれのＸ電極から交流信号を検出し、当該検出した交流信号に基づき、Ｘ電極の断線、および、Ｙ電極の断線、並びに、Ｘ電極とＹ電極との間の短絡を検出している。
しかしながら、前述の方法では、Ｘ電極とＹ電極の他方の端部（引き出し配線に接続されない端部）での断線不良を見つけることは、原理上不可能である。
そのため、Ｘ電極とＹ電極の他方の端部での断線不良を見つけるために、Ｘ電極とＹ電極の他方の端部に直接プローブを接触させて、検査を行う方法が想定されるが、製造ライン工程内にて、新たな不良を作ってしまう恐れがある。
本発明は、前記従来技術の問題点を解決するためになされたものであり、本発明の目的は、片側給電方式の静電容量方式のタッチパネルにおいて、Ｘ電極とＹ電極の他方の端部に直接プローブを接触させることなく、Ｘ電極とＹ電極の他方の端部での断線不良を検出することが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）本発明は、基板と、前記基板上に、第２の方向に延在し、前記第２の方向と交差する第１の方向に併設される複数のＸ電極と、前記基板上に、前記各Ｘ電極と交差して前記第１の方向に延在し、前記第２の方向に併設される複数のＹ電極と、前記複数のＹ電極の一方の端部に接続される引き出し配線とを有し、前記各引き出し配線は、前記基板の一辺に形成された、それぞれの引き出し配線に対応する端子に接続される静電容量方式のタッチパネルであって、前記複数のＹ電極の中の隣接する２本のＹ電極を第１のＹ電極と、第２のＹ電極とするとき、前記第１のＹ電極の他方の端部と、前記第２のＹ電極の他方の端部とを、交流的に結合する結合容量を有することを特徴とする。あるいは、前記複数のＸ電極の中の隣接する２本のＸ電極を第１のＸ電極と、第２のＸ電極とするとき、前記第１のＸ電極の他方の端部と、前記第２のＸ電極の他方の端部とを、交流的に結合する結合容量を有することを特徴とする。
（２）また、本発明は、表示パネルと、前記表示パネルの観察者側に配置される前述の静電容量方式のタッチパネルとを備える表示装置である。
【発明の効果】
【０００６】
本願において開示される発明のうち代表的なものによって得られる効果を簡単に説明すれば、下記の通りである。
本発明によれば、片側給電方式の静電容量方式のタッチパネルにおいて、Ｘ電極とＹ電極の他方の端部に直接プローブを接触させることなく、Ｘ電極とＹ電極の他方の端部での断線不良を検出することが可能となる。
【図面の簡単な説明】
【０００７】
【図１】本発明の前提となる静電容量の方式のタッチパネルの電極形状を説明するための図である。
【図２】本発明の前提となる静電容量の方式のタッチパネル１の構造を説明するための要部断面図であり、図１のＡ−Ａ’接続線に相当する切断線に沿った断面構造を示す要部断面図である。
【図３】本発明の前提となる静電容量の方式のタッチパネル１の構造を説明するための要部断面図であり、図１のＢ−Ｂ’接続線に相当する切断線に沿った断面構造を示す要部断面図である。
【図４】本発明の前提となる静電容量の方式のタッチパネル２の構造を説明するための要部断面図であり、図１のＡ−Ａ’接続線に相当する切断線に沿った断面構造を示す要部断面図である。
【図５】本発明の前提となる静電容量の方式のタッチパネル２の構造を説明するための要部断面図であり、図１のＢ−Ｂ’接続線に相当する切断線に沿った断面構造を示す要部断面図である。
【図６】本発明の前提となる静電容量の方式のタッチパネル１、２の問題点を説明するための図である。
【図７】本発明の実施例１の静電容量の方式のタッチパネルの電極形状を説明するための図である。
【図８】図７のＡ−Ａ’線に沿った断面構造を示す要部断面図である。
【図９】本発明の実施例２の静電容量の方式のタッチパネルを説明するための要部断面図であり、図７のＡ−Ａ’線に相当する切断線に沿った断面構造を示す要部断面図である。
【図１０】本発明の実施例３の静電容量の方式のタッチパネルを説明するための要部断面図であり、図７のＡ−Ａ’線に相当する切断線に沿った断面構造を示す要部断面図である。
【図１１】本発明の実施例４の静電容量の方式のタッチパネルを説明するための要部断面図であり、図７のＡ−Ａ’線に相当する切断線に沿った断面構造を示す要部断面図である。
【図１２】本発明の実施例５の静電容量の方式のタッチパネルを説明するための要部断面図であり、図７のＡ−Ａ’線に相当する切断線に沿った断面構造を示す要部断面図である。
【図１３】本発明の実施例６の静電容量の方式のタッチパネルの電極形状を説明するための図である。
【図１４】本発明の実施例６の静電容量の方式のタッチパネルの変形例の電極形状を説明するための図である。
【図１５】本発明の実施例６の静電容量の方式のタッチパネルの変形例の電極形状を説明するための図である。
【発明を実施するための形態】
【０００８】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［本発明の前提となるタッチパネル１］
図１は、本発明の前提となる静電容量の方式のタッチパネルの電極形状を説明するための図である。
図１に示すように、本発明の前提となるタッチパネルは、第２の方向（Ｙ方向）に延在し、第２の方向と交差する第１の方向（Ｘ方向）に所定の配列ピッチで併設される複数のＸ電極（Ｘ１〜Ｘ５）と、このＸ電極と交差して第１の方向に延在し、第２の方向に所定の配列ピッチで併設される複数のＹ電極（Ｙ１〜Ｙ６）とを有する。なお、図１の点線枠で示す部分が、有効タッチ領域（ＡＲＴ）である。
複数のＸ電極（Ｘ１〜Ｘ５）の一方の端部は、それぞれ引き出し配線（ＬＸ１〜ＬＸ５）に接続され、それぞれの引き出し配線（ＬＸ１〜ＬＸ５）は、基板１１の一辺に形成された端子（ＴＸ１〜ＴＸ５）に接続される。
同様に、複数のＹ電極（Ｙ１〜Ｙ６）の一方の端部は、それぞれ引き出し配線（ＬＹ１〜ＬＹ６）に接続され、それぞれの引き出し配線（ＬＹ１〜ＬＹ６）は、基板１１の一辺に形成された端子（ＴＹ１〜ＴＹ６）に接続される。
複数のＸ電極（Ｘ１〜Ｘ５）の各々は、細線部１ａと、この細線部１ａの幅よりも広い幅のパッド部１ｂとが第２の方向に交互に複数配置された電極パターンを有する。
複数のＹ電極（Ｙ１〜Ｙ６）の各々は、細線部２ａと、この細線部２ａの幅よりも広い幅のパッド部２ｂとが、第１の方向に交互に複数配置された電極パターンを有する。
【０００９】
図２、図３は、本発明の前提となる静電容量の方式のタッチパネル１を説明するための要部断面図である。
図２は、図１のＡ−Ａ’接続線に相当する切断線に沿った断面構造を示す要部断面図であり、図３は、図１のＢ−Ｂ’接続線に相当する切断線に沿った断面構造を示す要部断面図である。
本発明の前提となるタッチパネル１では、図２、図３に示すように、複数のＸ電極（Ｘ１〜Ｘ５）は、絶縁膜１２上に配置され、その上層に形成された保護膜１３で覆われている。
前述したように、複数のＸ電極（Ｘ１〜Ｘ５）の各々は、細線部１ａと、この細線部１ａの幅よりも広い幅のパッド部１ｂとが第２の方向に交互に複数配置された電極パターンを有する。また、複数のＹ電極（Ｙ１〜Ｙ６）の各々は、細線部２ａと、この細線部２ａの幅よりも広い幅のパッド部２ｂとが、第１の方向に交互に複数配置された電極パターンを有する。
平面的に観た場合に、各Ｘ電極のパッド部１ｂと各Ｙ電極のパッド部２ｂとは重畳することなく配置される。
また、図２、図３に示すように、複数のＹ電極（Ｙ１〜Ｙ６）の各々の細線部２ａは、基板１１上に配置され、Ｘ電極の細線部１ａと平面的に交差している。
複数のＹ電極（Ｙ１〜Ｙ６）の各々のパッド部２ｂは、Ｘ電極の細線部１ａとパッド部１ｂと同じく絶縁膜１２上に配置され、Ｘ電極のパッド部１ｂとは分離して形成されている。複数のＹ電極（Ｙ１〜Ｙ６）の各々のパッド部２ｂは、Ｘ電極と同様に保護膜１３で覆われている。
基板１１上に形成されるＹ電極の細線部２ａは、細線部２ａを挟んで隣り合う２つのパッド部２ｂに、絶縁膜１２に形成されたコンタクトホール１２ａを介してそれぞれ電気的に接続されている。なお、基板１１としては、例えばガラス等の透明な絶縁性基板が使用される。また、Ｘ電極と、Ｙ電極は、高い透過性を有する材料、例えばＩＴＯ（Ｉndium Ｔin Ｏxide）等の透明性導電材料で形成される。
【００１０】
［本発明の前提となるタッチパネル２］
図４、図５は、本発明の前提となる静電容量の方式のタッチパネル２を説明するための要部断面図である。
図４は、図１のＡ−Ａ’接続線に相当する切断線に沿った断面構造を示す要部断面図であり、図５は、図１のＢ−Ｂ’接続線に相当する切断線に沿った断面構造を示す要部断面図である。
本発明の前提となるタッチパネル２は、複数のＸ電極（Ｘ１〜Ｘ５）と、複数のＹ電極（Ｙ１〜Ｙ６）の各々のパッド部２ｂが基板１１上に形成される点で、本発明の前提となるタッチパネル１と異なっている。
本発明の前提となるタッチパネル２では、図４、図５に示すように、複数のＸ電極（Ｘ１〜Ｘ５）は、基板１１上に配置される。
平面的に観た場合に、各Ｘ電極のパッド部１ｂと各Ｙ電極のパッド部２ｂとは重畳することなく配置され、かつ、各Ｘ電極の細線部１ａと各Ｙ電極の細線部２ａとは交差している。
図４、図５に示すように、複数のＹ電極（Ｙ１〜Ｙ６）の各々のパッド部２ｂは、基板１１上で、Ｘ電極のパッド部１ｂとは分離して形成されている。
複数のＹ電極（Ｙ１〜Ｙ６）の各々の細線部２ａは、絶縁膜１２上に配置され、保護膜１３で覆われている。Ｙ電極の細線部２ａは、細線部２ａを挟んで隣り合う２つのパッド部２ｂに、絶縁膜１２に形成されたコンタクトホール１２ａを介してそれぞれ電気的に接続されている。
【００１１】
［本発明の前提となる静電容量の方式のタッチパネル１、２の問題点］
本発明の前提となるタッチパネル１、２では、例えば、Ｙ電極から交流信号を印加し、それぞれのＸ電極から交流信号を検出し、当該検出した交流信号に基づき、複数のＸ電極（Ｘ１〜Ｘ５）の断線、および、複数のＹ電極（Ｙ１〜Ｙ６）の断線、並びに、複数のＸ電極（Ｘ１〜Ｘ５）と複数のＹ電極（Ｙ１〜Ｙ６）との間の短絡を検出している。
しかしながら、前述の方法では、Ｘ電極とＹ電極の他方の端部（引き出し配線に接続されない端部）での断線不良を見つけることは、原理上不可能である。
例えば、図６に示すように、Ｙ電極（Ｙ６）の端部に、断線部（ＤＳＥ）があったとしても、前述の方法では、この断線部（ＤＳＥ）は見つけることはできない。結果として、当該部分をタッチしたことを検出できなくなる。これは、Ｘ電極の端部においても同様である。
そこで、Ｘ電極とＹ電極の他方の端部での断線不良を見つけるために、Ｘ電極とＹ電極の他方の端部に直接プローブを接触させて、検査を行う方法が想定されるが、製造ライン工程内にて、新たな不良を作ってしまう恐れがある。
なお、図６は、本発明の前提となる静電容量の方式のタッチパネル１、２の問題点を説明するための図である。
【００１２】
［実施例１］
図７は、本発明の実施例１の静電容量の方式のタッチパネルの電極形状を説明するための図である。なお、この図７は、Ｘ１とＸ２のＸ電極と、Ｙ６とＹ５のＹ電極の交差する部分のみを図示している。
図８は、図７のＡ−Ａ’線に沿った断面構造を示す要部断面図である。
本実施例では、複数のＸ電極（Ｘ１〜Ｘ５）の他方の端部（引き出し配線に接続されない端部）を交流的に結合するための導電層１６と、複数のＸ電極（Ｘ１〜Ｘ５）の他方の端部を交流的に結合するための導電層１７とを設けたことを特徴とする。
即ち、図７に示すように、Ｘ電極（Ｘ１）の端部のパッド部（Ｘ１−ｂＥ）と、Ｘ電極（Ｘ２）の端部のパッド部（Ｘ２−ｂＥ）と、有効タッチ領域外の領域でオーバラップする導電層１６と、Ｙ電極（Ｙ５）の端部のパッド部（Ｙ５−ｂＥ）と、Ｙ電極（Ｙ６）の他方のパッド部（Ｙ６−ｂＥ）と、有効タッチ領域外の領域でオーバラップする導電層１７とを設けたことを特徴とする。
図８に示すように、本実施例のタッチパネルの構造は、図４、図５を用いて説明したタッチパネル２と同じ構成であり、導電層（１６，１７）は、絶縁膜１２上に形成される。導電層（１６，１７）は、メタル層、あるいは、ＩＴＯで形成されるが、Ｙ電極の細線部（２ａ）と同じ材料で形成することにより、Ｙ電極の細線部（２ａ）と同じ工程で作成することが可能である。
【００１３】
本実施例では、Ｙ６のＹ電極から交流信号を入力し、この交流信号を、Ｙ電極（Ｙ５）の端部のパッド部（Ｙ５−ｂＥ）と導電層１７とで形成される結合容量と、Ｙ電極（Ｙ６）の他方のパッド部（Ｙ６−ｂＥ）と導電層１７とで形成される結合容量を介して、Ｙ５のＹ電極から検出することにより、Ｙ電極（Ｙ５）の端部の断線と、Ｙ電極（Ｙ６）の端部の断線と、Ｙ電極（Ｙ５）の端部とＹ電極（Ｙ６）の端部との間の短絡を検出することが可能である。
同様に、Ｘ１のＸ電極から交流信号を入力し、この交流信号を、Ｘ電極（Ｘ１）の端部のパッド部（Ｘ１−ｂＥ）と導電層１６とで形成される結合容量と、Ｘ電極（Ｘ２）の他方のパッド部（Ｘ２−ｂＥ）と導電層１６とで形成される結合容量を介して、Ｘ２のＸ電極から検出することにより、Ｘ電極（Ｘ１）の端部の断線と、Ｘ電極（Ｘ２）の端部の断線と、Ｘ電極（Ｘ１）の端部とＸ電極（Ｘ２）の端部との間の短絡を検出することが可能である。
なお、本実施例のタッチパネルでは、通常のタッチ位置検出期間において、Ｙ電極から順次駆動電圧を入力し、それぞれのＸ電極（Ｘ１〜Ｘ５）で検出される信号に基づき、タッチパネルのタッチ位置を検出している。そのため、タッチ位置を検出している期間内でも、Ｙ電極から入力された駆動電圧は、Ｙ電極の端部のパッド部と導電層１７とで構成される結合容量を介して、駆動電圧が入力されるＹ電極以外のＹ電極にも入力され、それぞれのＸ電極（Ｘ１〜Ｘ５）に出力される。その結果として、タッチパネルのタッチ位置の誤認識するおそれが想定される。
そこで、前述のＹ電極の端部のパッド部と導電層１７とで形成される結合容量は、および、Ｘ電極の端部のパッド部と導電層１６とで形成される結合容量は、通常のタッチ位置検出期間において、タッチ位置検出に誤動作を与えないような値とする必要がある。
【００１４】
［実施例２］
図９は、本発明の実施例２の静電容量の方式のタッチパネルを説明するための要部断面図であり、図９は、図７のＡ−Ａ’線に相当する切断線に沿った断面構造を示す要部断面図である。
図９に示すように、本実施例のタッチパネルの構造は、図２、図３を用いて説明したタッチパネル２と同じ構成であり、本実施例では、導電層１７は、基板１１上に形成される。なお、前述の導電層１６も基板１１上に形成される。
導電層（１６，１７）は、メタル層、あるいは、ＩＴＯで形成されるが、Ｙ電極の細線部（２ａ）と同じ材料で形成することにより、Ｙ電極の細線部（２ａ）と同じ工程で作成することが可能である。
また、本実施例では、図９に示すように、導電層１７はすべてのＹ電極の端部のパッド部とオーバラップするのではなく、隣接する２つのＹ電極毎に、隣接する２つのＹ電極の端部にオーバラップするように、複数設けられる。
例えば、導電層１７は、Ｙ電極（Ｙ５）の端部のパッド部と、Ｙ電極（Ｙ６）の他方のパッド部、並びに、Ｙ電極（Ｙ３）の端部のパッド部と、Ｙ電極（Ｙ４）の他方のパッド部と、有効タッチ領域外の領域でオーバラップするように複数（図９では、２個）設けられる。
なお、図示は省略するが、Ｘ電極側の導電層１６も、すべのＸ電極の端部のパッド部とオーバラップするのではなく、隣接する２つのＸ電極毎に、隣接する２つのＸ電極の端部にオーバラップするように、複数設けられる。
また、本実施例において、Ｘ電極側の導電層１６およびＹ電極側の導電層１７は、隣接する２つのＸ電極毎に限らず、２つの以上のＸ電極毎に設けるようにしてもよい。
本実施例においても、前述の実施例１と同様の作用・効果を得ることが可能である。
【００１５】
［実施例３］
図１０は、本発明の実施例３の静電容量の方式のタッチパネルを説明するための要部断面図であり、図１０は、図７のＡ−Ａ’線に相当する切断線に沿った断面構造を示す要部断面図である。
図１０に示すように、本実施例のタッチパネルは、図８に示す構造において、導電層１７を、Ｙ５のＹ電極に電気的に接続したものである。
本実施例では、Ｙ６のＹ電極から交流信号を入力し、この交流信号を、Ｙ電極（Ｙ６）の端部のパッド部（Ｙ６−ｂＥ）と導電層１７とで形成される結合容量を介して、Ｙ５のＹ電極から検出することにより、Ｙ電極（Ｙ５）の端部の断線と、Ｙ電極（Ｙ６）の端部の断線と、Ｙ電極（Ｙ５）の端部とＹ電極（Ｙ６）の端部との間の短絡を検出することが可能である。
なお、図示は省略するが、Ｘ電極側の導電層１６も、図１０と同様に、任意のＸ電極と電気的に接続される。
本実施例においても、前述の実施例１と同様の作用・効果を得ることが可能である。
【００１６】
［実施例４］
図１１は、本発明の実施例４の静電容量の方式のタッチパネルを説明するための要部断面図であり、図１１は、図７のＡ−Ａ’線に相当する切断線に沿った断面構造を示す要部断面図である。
図１１に示すように、本実施例のタッチパネルは、図９に示す構造において、２個の導電層１７を、それぞれＹ３のＹ電極とＹ５のＹ電極に電気的に接続したものである。
なお、図示は省略するが、Ｘ電極側の複数の導電層１６も、図１１と同様に、任意のＸ電極と電気的に接続される。本実施例においても、前述の実施例１と同様の作用・効果を得ることが可能である。
【００１７】
［実施例５］
図１２は、本発明の実施例５の静電容量の方式のタッチパネルを説明するための要部断面図であり、図１２は、図７のＡ−Ａ’線に相当する切断線に沿った断面構造を示す要部断面図である。
図１２に示すように、本実施例のタッチパネルは、図８に示す構造において、導電層１７を、基板１１の裏側に形成するとともに、隣接する２つのＹ電極毎に、隣接する２つのＹ電極の端部にオーバラップするように、複数設けたものである。
なお、図示は省略するが、Ｘ電極側の導電層１６も、図１２と同様に、基板１１の裏側に形成するとともに、隣接する２つのＸ電極毎に、隣接する２つのＸ電極の端部にオーバラップするように、複数設けたものである。本実施例においても、前述の実施例１と同様の作用・効果を得ることが可能である。
なお、前述の実施例１ないし実施例５において、前述した動作原理から、Ｘ電極側の導電層１６とＸ電極の端部のパッド部、および、Ｙ電極側の導電層１７とＹ電極の端部のパッド部とは、必ずしも有効タッチ領域外の領域でオーバラップさせる必要はない。
【００１８】
［実施例６］
図１３は、本発明の実施例６の静電容量の方式のタッチパネルの電極形状を説明するための図である。なお、この図１３は、Ｘ１とＸ２のＸ電極と、Ｙ６とＹ５のＹ電極の交差する部分のみを図示している。
図１３に示すように、本実施例のタッチパネルは、Ｘ２のＸ電極の端部のパッド部（Ｘ２−ｂＥ）を延長して、延長パターン部１９を形成し、この延長パターン部１９と、Ｘ１のＸ電極の端部のパッド部（Ｘ１−ｂＥ）との間で結合容量を形成し、Ｘ２のＸ電極の端部のパッド部（Ｘ２−ｂＥ）と、Ｘ１のＸ電極の端部のパッド部（Ｘ１−ｂＥ）とを交流的に結合させたものである。
同様に、Ｙ６のＹ電極の端部のパッド部（Ｙ６−ｂＥ）を延長して、延長パターン部２０を形成し、この延長パターン部２０と、Ｙ５のＹ電極の端部のパッド部（Ｙ５−ｂＥ）との間で結合容量を形成し、Ｙ６のＹ電極の端部のパッド部（Ｙ６−ｂＥ）と、Ｙ５のＹ電極の端部のパッド部（Ｙ５−ｂＥ）とを交流的に結合させたものである。
【００１９】
図１４は、本発明の実施例６の静電容量の方式のタッチパネルの変形例の電極形状を説明するための図である。なお、この図１４は、Ｘ１とＸ２のＸ電極と、Ｙ６とＹ５のＹ電極の交差する部分のみを図示している。
図１４に示すタッチパネルは、Ｘ１のＸ電極の端部のパッド部（Ｘ１−ｂＥ）を延長して、延長パターン部１９ｂと、Ｘ２のＸ電極の端部のパッド部（Ｘ２−ｂＥ）を延長して、延長パターン部１９ａとを形成し、この延長パターン部１９ａと、Ｘ１のＸ電極の端部のパッド部（Ｘ１−ｂＥ）との間、延長パターン部１９ｂと、Ｘ２のＸ電極の端部のパッド部（Ｘ２−ｂＥ）との間、並びに、延長パターン部１９ａと延長パターン部１９ｂとの間で結合容量を形成し、Ｘ２のＸ電極の端部のパッド部（Ｘ２−ｂＥ）と、Ｘ１のＸ電極の端部のパッド部（Ｘ１−ｂＥ）とを交流的に結合させたものである。
同様に、Ｙ５のＹ電極の端部のパッド部（Ｙ５−ｂＥ）を延長して、延長パターン部２０ｂと、Ｙ６のＸ電極の端部のパッド部（Ｙ６−ｂＥ）を延長して、延長パターン部２０ａとを形成し、この延長パターン部２０ａと、Ｙ５のＹ電極の端部のパッド部（Ｙ５−ｂＥ）との間、延長パターン部１９ｂと、Ｙ６のＹ電極の端部のパッド部（Ｙ６−ｂＥ）との間、並びに、延長パターン部２０ａと延長パターン部２０ｂとの間で結合容量を形成し、Ｙ６のＹ電極の端部のパッド部（Ｙ６−ｂＥ）と、Ｙ５のＹ電極の端部のパッド部（Ｙ５−ｂＥ）とを交流的に結合させたものである。
【００２０】
図１５は、本発明の実施例６の静電容量の方式のタッチパネルの変形例の電極形状を説明するための図である。なお、この図１５は、Ｘ１とＸ２のＸ電極と、Ｙ６とＹ５のＹ電極の交差する部分のみを図示している。
図１５に示すタッチパネルは、Ｘ２のＸ電極の端部のパッド部（Ｘ２−ｂＥ）から突出するように延長パターン部２１を形成し、この延長パターン部２１と、Ｘ１のＸ電極の端部のパッド部（Ｘ１−ｂＥ）との間で結合容量を形成し、Ｘ２のＸ電極の端部のパッド部（Ｘ２−ｂＥ）と、Ｘ１のＸ電極の端部のパッド部（Ｘ１−ｂＥ）とを交流的に結合させる。
同様に、Ｙ６のＸ電極の端部のパッド部（Ｙ６−ｂＥ）から突出するように延長パターン部２２を形成し、この延長パターン部２２と、Ｙ５のＹ電極の端部のパッド部（Ｙ５−ｂＥ）との間で結合容量を形成し、Ｙ６のＹ電極の端部のパッド部（Ｙ６−ｂＥ）と、Ｙ５のＹ電極の端部のパッド部（Ｙ５−ｂＥ）とを交流的に結合させたものである。
本実施例においても、前述の実施例１と同様の作用・効果を得ることが可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００２１】
１ａ，２ａ  細線部
１ｂ，２ｂ  パッド部
１１  基板
１２  絶縁膜
１２ａ  コンタクトホール
１３  保護膜
Ｘ１〜Ｘ５  Ｘ電極
Ｙ１〜Ｙ６  Ｙ電極
ＬＸ１〜ＬＸ５，ＬＹ１〜ＬＹ６  引き出し配線
ＴＸ１〜ＴＸ５，ＴＹ１〜ＴＹ６  端子
１６，１７  導電層
１９,１９ａ，１９ｂ，２０，２０ａ，２０ｂ，２１，２２  延長パターン部
ＡＲＴ  有効タッチ領域
ＤＳＥ  断線部
【図１】
2012238066.tif 000003
【図２】
2012238066.tif 000004
【図３】
2012238066.tif 000005
【図４】
2012238066.tif 000006
【図５】
2012238066.tif 000007
【図６】
2012238066.tif 000008
【図７】
2012238066.tif 000009
【図８】
2012238066.tif 000010
【図９】
2012238066.tif 000011
【図１０】
2012238066.tif 000012
【図１１】
2012238066.tif 000013
【図１２】
2012238066.tif 000014
【図１３】
2012238066.tif 000015
【図１４】
2012238066.tif 000016
【図１５】
2012238066.tif 000017